(57)【要約】【課題】浴槽端縁と壁面との間の目地からの水漏れに追随して防水部が吸水して膨張することができ、これにより目地の大きさにバラツキがあっても目地からの水漏れを確実に防止できる浴槽目地材を提供すること。【解決手段】浴槽端縁１ａと周囲の壁面３との目地４を止水処理するための浴槽目地材２であって、目地４内に挿入される防水部６を吸水して膨張する吸水性膨張樹脂で構成されている浴槽目地構造である。【選択図】図１
2007202771.tif 000002
【特許請求の範囲】
【請求項１】
浴槽端縁と周囲の壁面との間の目地を止水処理するための浴槽目地材であって、目地内に挿入される防水部が吸水して膨張する吸水性膨張樹脂で構成されていることを特徴とする浴槽目地材。
【請求項２】
上記吸水性膨張樹脂が、硬度９０度以下の軟質素材であることを特徴とする請求項１記載の浴槽目地材。
【請求項３】
上記吸水性膨張樹脂からなる防水部の上部に、軟質樹脂からなる一次防水部を設けたことを特徴とする請求項１又は２記載の浴槽目地材。
【発明の詳細な説明】
【技術分野】
【０００１】
本発明は、浴槽端縁と周囲の壁面との間の目地に止水処理を施すための浴槽目地材に関するものである。
【背景技術】
【０００２】
従来、例えば浴室内において、浴槽と周囲の壁面との間には僅かな目地（隙間）が生じるのが不可避であり、このような僅かな目地をシリコンをコ−キングして塞ぎ且つ化粧をしていた。
【０００３】
ところが、シリコン等の湿式目地材は施工に手間がかかり、熟練が必要である。そのうえ充填後養生期間が必要であり、施工後に汚れやすく、カビが生えやすく、シリコン自体が切れてしまうといった問題もある。特に、目地から湯水が漏水すると、浴槽の下方の浴槽防水パン上に湯水が溜まって不衛生な状態となる。
【０００４】
そこで、硬質部材と軟質部材とを組み合わせて構成された乾式目地材を用いて目地を塞ぐ方法が知られている（例えば、特許文献参照）。
【０００５】
しかしながら、浴槽と壁面との位置関係のばらつき等によって目地の大きさは均一でないため、従来のような硬質部材と軟質部材とを組み合わせて構成された乾式目地材では、目地の大きさのバラツキに十分に追随させることが困難であるという課題を有していた。
【特許文献１】特願２００３−１９００３６号公報
【発明の開示】
【発明が解決しようとする課題】
【０００６】
本発明は上記の従来の問題点に鑑みて発明したものであって、浴槽端縁と壁面との間の目地からの水漏れに追随して防水部が吸水して膨張することができ、これにより目地の大きさにバラツキがあっても水漏れを確実に防止できる浴槽目地材を提供することを課題とするものである。
【課題を解決するための手段】
【０００７】
前記課題を解決するために本発明に係る浴槽目地材は、浴槽端縁１ａと周囲の壁面３との目地４を止水処理するためのものであって、目地４内に挿入される防水部６が吸水して膨張する吸水性膨張樹脂で構成されていることを特徴としている。
【０００８】
このような構成とすることで、目地４からの水漏れに追随して防水部６を構成する吸水性膨張樹脂が吸水して膨張することによって目地４を塞ぐようになり、目地４の大きさにバラツキがあっても水漏れを確実に防止できるようになる。
【０００９】
また、上記吸水性膨張樹脂が、硬度９０度以下の軟質素材であるのが好ましく、この場合、浴槽目地材２を狭い目地４内に圧入する際に軟質素材からなる吸水性膨張樹脂が撓むことで圧入し易くしなり、浴槽目地材２による止水処理作業を容易に行なうことができる。
【００１０】
また、上記吸水性膨張樹脂からなる防水部６の上部に、軟質樹脂からなる一次防水部５を設けるのが好ましく、この場合、目地４の上方開口を軟質樹脂からなる一次防水部５にて隙間無く覆うことができ、これにより、一次防水部５によって良好な外観を保ちながら目地４に止水処理を施すことができると共に、一次防水部５の劣化などにより水漏れが生じた場合は、水漏れが生じている範囲内で、その水漏れに追随して一次防水部５よりも下方に配設された防水部６を構成する吸水性膨張樹脂が吸水して膨張することによって目地４を確実に埋めて止水効果を持続できるようになる。
【発明の効果】
【００１１】
本発明に係る浴槽目地材は、目地内に挿入される防水部が吸水性膨張樹脂で構成されているので、目地内の水漏れに追随して吸水性膨張樹脂が吸水して膨張することによって目地が塞がれるようになり、目地の大きさにバラツキがあっても目地からの水漏れを確実に防止でき、良好な止水効果を長期間に亘って持続できるものである。
【発明を実施するための最良の形態】
【００１２】
以下、本発明を添付図面に示す実施形態に基いて説明する。
【００１３】
本発明の浴槽目地材は、図２に示すように、浴室内の浴槽１と壁面３との目地４を止水処理するための乾式目地材であり、浴槽１を受ける浴槽防水床パン（図示せず）への水漏れを防いでいる。
【００１４】
上記浴槽目地材２は、図１に示すように、浴槽１の上縁部から下方に折返された折返し部分１ｂ（以下、「浴槽端縁１ａ」という）とその周囲の壁面３との間の目地４の上方開口を覆うための略水平な一次防水部５と、目地４内に挿入される縦片部７と、縦片部７の内側面から突設して浴槽端縁１ａに弾接状態で当接する防水部６（以下「二次防水部６」という）と、縦片部７の下端部から略Ｌ字形に突設して浴槽端縁１ａの下端部に係止する係止片部８とが一体に構成されている。なお図中の１０ａは二次防水部６の外側面の複数個所から壁面３に向かって突設された軟質樹脂からなる緩衝突条である。
【００１５】
上記一次防水部５の中央下面側からは縦片部７が略垂直方向に垂設されている。これにより一次防水部５と縦片部７は側面断面略Ｔ字状に形成され、一次防水部５の前端が縦片部７の内側面よりも浴槽１側（図１の左方）に突出し、且つ一次防水部５の後端が縦片部７の外側面よりも壁面３側（図１の右方）に突出している。
【００１６】
ここで、上記縦片部７は塩化ビニル或いはＰＰ等のような硬質樹脂で構成されている。また一次防水部５は、硬度５０〜９０度の軟質樹脂で構成されている。一次防水部５を構成する軟質樹脂としては、例えば、止水性及び耐久性に優れた軟質塩化ビニル、或いはオレフィン系の熱可塑性エラストマー等の軟質素材が選ばれる。
【００１７】
また上記縦片部７の一次防水部５よりも下側には、吸水性膨張樹脂で構成された二次防水部６が突設されており、一次防水部５と二次防水部６との二重防水構造となっている。図１の例では二次防水部６は、上下複数本（ここでは上下３本）のひれ状片６ａによって構成されている。各ひれ状片６ａは、縦片部７を目地４内に挿入するときには挿入し易くし且つ目地４内に挿入した縦片部７を抜けにくくするように上方に向いた傾斜を有して形成されていると共に、各ひれ状片６ａは先端に行く程に薄い肉厚なるように形成されている。なお、上方に設けたひれ状片６ａほどその突出量が大きくなるように形成するのが望ましく、この場合、一次防水部５に近づくにつれてひれ状片６ａによる壁面３側への押圧効果を強くできるので、一次防水部５の後端部を隙間なく強く壁面３に弾接させることが可能となる。
【００１８】
上記各ひれ状片６ａを構成する吸水性膨張樹脂は、一次防水部５が劣化などにより水漏れが生じた場合に浴槽防水床パン上への漏水を防止するものであり、例えば、水膨張性ポリウレタンエラストマーの単一組成からなる水膨張性止水材が選ばれる。この水膨張性止水材の一例としては、例えば、アクアプレン（三洋化成工業株式会社の商品名）を用いることができる。この水膨張性止水材は、水を吸収・膨張して目地４を完全に塞ぐことができ、また、他の素材に張り付け易く、機械的圧縮等で破損することがなく、また長期間、水に浸漬しても、水膨張成分の脱落による水膨張率の低下が殆どなく、また、水質に関わらず、略一定の水膨張率を示い、また温水中でも、収縮を起こさずに強度の低下なく水膨張することにより優れた止水性を示し、さらに水膨張速度が速く、水膨張後の溶出量も少ない利点がある。なお、水膨張性止水材としてアクアプレン以外に、例えば、高吸収性樹脂と合成ゴムとが混合成形加硫されている材料で作られたもの等であってもよく、要は良好な湿気硬化性、水膨張性および止水性を発揮するものであればよいものである。
【００１９】
しかして、浴槽端縁１ａと壁面３との間の目地４の上方から浴槽目地材２の縦片部７を挿入して、縦片部７の最上部に取り付けた一次防水部５にて目地４の上方開口を覆った状態とする。これにより、縦片部７から突設した二次防水部６が浴槽端縁１ａの外側面に弾接すると共に係止片部８が縦片部７の下端に係止することで抜け止め状態となる。この浴槽目地構造において、二次防水部６を構成する吸水性膨張樹脂が、硬度９０度以下の軟質素材からなるので、浴槽目地材２を狭い目地４内に圧入する際に吸水性膨張樹脂が撓むことで圧入し易くしなり、浴槽目地材２による止水処理作業が簡単にできるようになる。しかも、二次防水部６が浴槽端縁１ａに弾接することによりその反力によって縦片部７が壁面３側に圧迫されて一次防水部５が壁面３に圧接した状態となるので、目地４の上方開口が一次防水部５にて強固に隙間無く覆われると共に、浴槽目地材２は上下にズレのない状態で目地４に設置されるので、一次防水部５によって良好な外観を保ちながら目地４に止水処理を施すことができる。なお浴槽１上縁部の折返し部分１ｂよりも下方の壁面３に引掛け部材を取り付け、折返し部分１ｂを引掛け部材に引掛けることで、浴槽１が壁面３に沿うように設置される点は従来例（特願２００３−１９００３６号公報）と同様である。
【００２０】
ところで、一次防水部５が劣化などにより水漏れが生じるおそれがあり、この場合は水漏れが生じている範囲内で、その水漏れに追随して二次防水部６を構成する吸水性膨張樹脂が吸水して膨張することによって目地４を塞ぐようになり、目地４の大きさにバラツキがあっても目地４からの水漏れが確実に防止されるようになる。また、浴槽１のコーナー部分において目地が曲がっていても吸水性膨張樹脂の吸水膨張によって確実に止水できるので、コーナー部分で止水効果が欠損するといった事態を回避できる。従って、吸水性膨張樹脂からなる二次防水部６の断面形状を、目地４全周に亘って同じ断面形状とすればよいので、浴槽目地材２の種類を増やすことなく様々な目地４形状にそれぞれ対応できるようになり、目地４全体において良好な止水効果を長期間に亘って持続できるものである。
【００２１】
前記実施形態では、二次防水部６を上下三本のひれ状片６ａで構成したが、ひれ状片６ａの本数は特に限定されないものである。
【図面の簡単な説明】
【００２２】
【図１】本発明の一実施形態を示し、吸水して膨張する吸水性膨張樹脂で構成された防水部を備えた浴槽目地材の側面図である。
【図２】同上の浴槽目地材を浴槽端縁と壁面との間の目地に圧入した状態の浴槽目地構造の説明図である。
【符号の説明】
【００２３】
１  浴槽
１ａ  浴槽端縁
２  浴槽目地材
３  壁面
４  目地
５  一次防水部
６  防水部
【図１】
2007202771.tif 000003
【図２】
2007202771.tif 000004